(57)【特許請求の範囲】
【請求項１】
天板を支持する平面視略矩形の上枠と、前記上枠の各コーナー部に固定された脚支柱とを有しており、前記上枠は、底板とその縁から立ち上がった側壁とを有している一方、前記脚支柱は、前記上枠の底板に下方から重なる水平部と、前記上枠の側壁に外側から重なる垂直部とを有しており、前記脚支柱の水平部と垂直部とをそれぞれ上枠の底板と側壁とにファスナで締結している、
作業台。
【請求項２】
前記上枠の側壁と脚支柱の垂直部とは、ダボ状の突起とこれが嵌まる係合穴とから成る嵌合手段で互いに位置決めされている、
請求項１に記載した作業台。
【請求項３】
前記上枠は、当該上枠の面積の大部分を占めるメイン枠と、前記メイン枠における平行な２つの側縁部に配置したサイド枠とを有しており、これらメイン枠及びサイド枠はそれぞれ板金加工品であり、
前記メイン枠はメイン底板を有しており、前記メイン底板のうち平面視で前記サイド枠と直交した２つの側縁部に、略鉛直状のメイン側壁が折り曲げ形成されており、前記メイン側壁の上端に、前記天板が上から重なるメイン水平フランジが折り曲げ形成されている一方、
前記サイド枠は、前記メイン底板に下方から重なるサイド底板と、前記サイド底板の縁から立ち上がって平面視で前記メイン側壁と直交した方向に延びる第１サイド側壁とを有しており、前記第１サイド側壁の上端に、前記天板が重なるサイド水平フランジが折り曲げ形成されており、
更に、前記脚支柱の水平部と前記サイド底板とメイン底板とがファスナで共締めされ、前記脚支柱の垂直部と前記メイン側壁と第２サイド側壁とがファスナで共締めされている、
請求項１又は２に記載した作業台。
【発明の詳細な説明】
【技術分野】
【０００１】
本願発明は、上面で各種作業を行い得る作業台（テーブル）に関するものである。なお、本願発明の作業台は上面で各種作業を行うことができれば足り、引き出しや棚、キャビネット部等の附属要素を備えていてもよい。また、定置式である必要はなく、キャスタを設けたワゴンタイプも含んでいる。更に、高さが一定のタイプと、高さを調節できる昇降式との両方を含んでいる。
【背景技術】
【０００２】
作業台は一般に平面視矩形（四角形）になっており、脚支柱（支柱）に固定した上枠に天板を固定した構造になっている。上枠は、一般に、形鋼や角形鋼管を切断した枠材又は板金加工で製造された枠材を溶接して平面視四角形に形成したフレーム構造になっており、四つのコーナー部の下面に脚支柱を固定している。また、ある程度の大型になると、上枠は、補強フレームを有する日字形になっていることが多い（例えば特許文献１，２）。天板を固定するに当たっては、一般に、上枠の外周面に逆Ｌ型のブラケットを溶接し、ブラケットの上水平片と天板をビスで固定していることが多い。
【０００３】
他方、脚支柱と上枠との固定手段としては、特許文献２，３に開示されているように、脚支柱の上端にフランジ板を設けて、フランジ板を上枠の下面にボルトで固定することが広く行われている。また、特許文献１の例えば図９には、上枠（連結杆）に下向きの側板を設けて、側板を脚支柱の外側面に重ねて両者をボルト（及びナット）で締結することが開示されている。
【先行技術文献】
【特許文献】
【０００４】
【特許文献１】特開２０１１−１７２８２９号公報
【特許文献２】特許第２８７３３７０号公報
【特許文献３】特開２０１０−１７３０３８号公報
【発明の概要】
【発明が解決しようとする課題】
【０００５】
上枠を型鋼や角形鋼管等の枠材で構成しているのは、上面に天板を支える面積を確保するためや、部材の量を節約しつつ高い強度を確保するためと言えるが、材料の切断作業や溶接作業に手間がかかる問題や、溶接による歪みが発生し易い問題、天板を固定するために更にブラケットを溶接せねばならない問題、といった幾つかの問題があった。
【０００６】
他方、特許文献３の上枠は、四角形の底板の四周に上向きの折り返し部を設けた構成であり、折り返し部の上端部は中空に構成されている。この特許文献３のように上枠として板金加工品を採用すると、加工に要する手間を抑制できると共に高い寸法精度を確保できる利点がある。
【０００７】
さて、作業台の強度はまず第１に上枠の堅牢性に依存しており、次に、上枠と脚支柱との締結部の強度に依存している。そして、特許文献２のように上枠を角形鋼管や型鋼でフレーム構造に構成すると、上枠は頑丈な構造になる。また、脚支柱の上端に設けたフランジ板を上枠にボルトで締結する構造では、上枠が頑丈な構造であれば、作業台全体として高い強度を確保できる。
【０００８】
他方、上枠が板金加工品の場合、その強度は断面形状や板厚などの様々の要因で異なるのであるが、型鋼等を溶接したフレーム構造品に比べると、全体的な強度は確保できても、コーナー部だけを見ると単位面積当たりの強度が低くなる場合がある。このため、脚支柱の上端のフランジ板を上枠の底板に締結しただけの構造であると、上枠のうちフランジ板との締結部の周囲箇所が曲がり変形し易くなって、高い強度（特に横方向からの外力に対する強度）を確保できない場合が有り得る。
【０００９】
この点については、上枠の板厚を厚くしたらよいと考えられるが、かくすると、重量が重くなったりコストが嵩んだりすることになる。つまり、板金加工品は、できるだけ薄い板厚の材料（鋼板）を使用して必要な強度を確保するのが好ましいが、単に脚支柱のフランジ板を締結したに過ぎない構成では、材料をできるだけ薄くしつつ必要な強度を得るのが難しい場合があった。
【００１０】
本願発明はこのような現状に鑑み成されたものであり、特許文献３のように上枠を板金加工品とした場合であっても、材料をできるだけ薄くして軽量化・低コストを図りつつ必要な強度を確保できるようにすることを課題とするものである。また、本願発明は、上枠や脚支柱に関して強度アップ等のために様々な改良を提示しているが、これらの改良が施された作業台を提供すること（特に、上枠や脚支柱を板金加工品とした場合に強度アップを図ること）も課題たり得る。
【課題を解決するための手段】
【００１１】
請求項１の発明は、天板を支持する平面視略矩形の上枠と、前記上枠の各コーナー部に固定された脚支柱とを有しており、前記上枠は、底板とその縁から立ち上がった側壁とを有している一方、前記脚支柱は、前記上枠の底板に下方から重なる水平部と、前記上枠の側壁に外側から重なる垂直部とを有しており、前記脚支柱の水平部と垂直部とをそれぞれ上枠の底板と側壁とにファスナで締結している。
【００１２】
なお、脚支柱の垂直部は鉛直部と呼ぶことも可能である（但し、垂直部（及び側壁）は鉛直姿勢である必要はなく、鉛直線に対して多少傾斜していてもよい。）。また、本願発明では、複数本の脚支柱のうち少なくとも１本が請求項１の構成になっていたらよい。また、上記したとおり、本願発明は上枠を板金加工品とした場合の問題から出発したが、本願発明はフレーム構造品にも適用可能であり、従って、請求項１の発明は上枠が鋼材等を材料として製造されたものを排除するものではない。
【００１３】
本願発明は様々に展開できる。その例を請求項２，３に記載している。このうち請求項２の発明は、請求項１において、前記上枠の側壁と脚支柱の垂直部とは、ダボ状の突起とこれが嵌まる係合穴とから成る嵌合手段で互いに位置決めされている。突起の形成手段には限定はなく、例えばバーリング加工で形成することも可能であるが、強度面では、膨出加工するのが好ましい。
【００１４】
請求項３の発明は、請求項１又は２において、  前記上枠は、当該上枠の面積の大部分を占めるメイン枠と、前記メイン枠における平行な２つの側縁部に配置したサイド枠とを有しており、これらメイン枠及びサイド枠はそれぞれ板金加工品であり、
前記メイン枠はメイン底板を有しており、前記メイン底板のうち平面視で前記サイド枠と直交した２つの側縁部に、略鉛直状のメイン側壁が折り曲げ形成されており、前記メイン側壁の上端に、前記天板が上から重なるメイン水平フランジが折り曲げ形成されている。
【００１５】
一方、前記サイド枠は、前記メイン底板に下方から重なるサイド底板と、前記サイド底板の縁から立ち上がって平面視で前記メイン側壁と直交した方向に延びる第１サイド側壁とを有しており、前記第１サイド側壁の上端に、前記天板が重なるサイド水平フランジが折り曲げ形成されており、更に、前記脚支柱の水平部と前記サイド底板とメイン底板とがファスナで共締めされ、前記脚支柱の垂直部と前記メイン側壁と第２サイド側壁とがファスナで共締めされている。
【発明の効果】
【００１６】
上枠が脚支柱のフランジ板のみに締結されていると、例えば作業台に作用した水平方向の外力が上枠の底板の狭い箇所に集中するため、底板が変形しやすくなって強度が低くなるが、本願発明では、上枠と脚支柱は、姿勢が異なる底板と側壁及び水平部と垂直部とにおいて締結されているため、作業台に作用した外力が分散されると共に、上枠と脚支柱とが互いに補強し合う効果が発揮される。その結果、上枠の板厚を過度に厚くすることなく、高い強度を確保することができる。
【００１７】
特に、請求項２のように突起と係合穴とからなる位置決め手段を設けると、垂直部と側壁との滑りを防止できるため、強度アップ効果をより一層向上できる。
【００１８】
請求項３の構成を採用すると、メイン枠とサイド枠との垂直部にそれぞれ水平フランジを設けているため、この水平フランジに天板を締結することができる。従って、別途ブラケットを溶接するような手間は不要であるのみならず、水平フランジが補強効果を発揮するため堅牢性もアップする。そして、メイン枠とサイド枠と脚支柱との三者が水平部と垂直部とにおいて共締めされているため、メイン枠とサイド枠と脚支柱とが互いに補強し合っており、その結果、メイン枠とサイド枠と脚支柱との板厚を過度に厚くすることなく、作業台全体としての強度を格段に向上できる。
【図面の簡単な説明】
【００１９】
【図１】（Ａ）は第１実施形態に係る作業台の一部破断斜視図、（Ｂ）はコーナー部の部分格段図である。
【図２】分離斜視図である。
【図３】（Ａ）はサイド枠と脚支柱とを分離した状態で示した部分平面図、（Ｂ）は部分的な平断面図、（Ｃ）は位置決め手段を示す分離平断面図、（Ｄ）は位置決め手段の別例図である。
【図４】（Ａ）は図３（Ａ）の IVA-IVA視断面図、（Ｂ）は中間補強枠を示す破断斜視図である。
【図５】（Ａ）は第２実施形態の要部側断面図、（Ｂ）は第３実施形態の要部側断面図である。
【図６】（Ａ）は第３実施形態で使用しているナットユニットの部分斜視図、（Ｂ）は第３実施形態におけるサイド枠の部分斜視図、（Ｃ）は第４実施形態におけるサイド枠の部分斜視図である。
【図７】第５実施形態を示す図で、（Ａ）は分離斜視図、（Ｂ）は部分的な縦断正面図である。
【図８】第６実施形態の分離斜視図である。
【発明を実施するための形態】
【００２０】
(1).第１実施形態の概要
次に、本願発明の実施形態を図面に基づいて説明する。まず、図１〜図４に示す第１実施形態から説明する。作業台は、平面長方形（視矩形）の天板１と、この天板１が上から重なっている平面視矩形（長方形）の上枠２と、上枠２を下方から支持する脚支柱装置３とを備えている。
【００２１】
以下の説明では、方向を特定するため「前後」「左右」の文言を使用するが、この「前後」「左右」は、図１（Ａ）に表示しているように、作業台の短辺方向を前後方向として、長辺方向を左右方向としている。また、平面視において上枠２の外周で囲われた内部の側を「内側」と呼び、これと反対側を「外側」と呼んでいる。
【００２２】
天板１は、実施形態では木製品を使用しているが、スチール製や樹脂製、或いは異種材料の複合品とすることも可能である。上枠２は、左右横長で上枠２の大部分を構成するメイン枠４と、メイン枠４の左右両側部に重ね配置した前後長手のサイド枠５と、メイン枠４の左右中間部に上から重ね配置した前後長手の中間補強枠６とで構成されている。
【００２３】
メイン枠４及びサイド枠５はそれぞれ１枚の鋼板を打ち抜き及び曲げ加工することで製造されており、例えば、金型を使用しない曲げ加工機で製造することができる。上枠２は、全体として上向き開口の浅いトレー状（箱状）の外観を呈している（詳細は後述する。）。天板１はその四周が上枠２の外側に張り出しているが、上枠２と同じ大きさとすることも可能である。
【００２４】
脚支柱装置３は、上枠２のコーナー部を支える４本の脚支柱７と、前後脚支柱７の下部間を連結するサイドステー８とを有しており、左右のサイドステー８は左右横長のメインステー９で連結されている。各脚支柱７の下端には下板１０を溶接で固着し、下板１０にアジャスタボルト１１を設けている。アジャスタボルト１１に代えてキャスタを取り付けることも可能である。脚支柱７は伸縮式であってもよい。
【００２５】
(2).上枠及び脚支柱の詳細
次に、上枠２の構造を説明する。上枠２を構成するメイン枠４とサイド枠５とは、いずれも鋼板を材料にして打ち抜きと曲げ加工で製造された板金加工品である。このうちメイン枠４は、図２から容易に理解できるように、平面視矩形（長方形）のメイン底板１２の前後両側縁に土手状の中空壁部１３を一体に設けた形態になっている。なお、メイン底板１２には、強度を損なわない範囲で抜き穴を開けることも可能である。
【００２６】
中空壁部１３は、メイン底板１２の端から立ち上がったメイン側壁１４と、メイン側壁１４の上端から外向きに突出してから内向きに折り返された２枚重ね状のメイン水平フランジ１５と、メイン水平フランジ１５の上面板メイン側壁１４よりも内側に延出させた上段部１６と、上段部１６の内端から下向きに延びる足片部１７と、足片部１７の下端に折り曲げ形成された下片１８とを有しており、これらとメイン底板１２とで中空構造になっている。
【００２７】
足片部１７は、下に行くに従ってメイン側壁１４から内側に離れるように傾斜している。メイン水平フランジ１５には、その長手方向に沿って飛び飛びでビス穴（図示せず）が空いており、図４（Ａ）に示すように、ビス穴に下方から挿入したビス１９を天板１にねじ込むことにより、メイン枠４が天板１に固定されている。天板１には、ビスをねじ込むための鬼目ナット２０を埋設している。なお、メイン水平フランジ１５の張り出し寸法は、例えば２０ｍｍ程度で足りる。
【００２８】
サイド枠５、メイン底板１２の下面に重なるサイド底板２２と、サイド底板２２の左右外端から鉛直姿勢で立ち上がった第１サイド側壁２３とを有しており、第１サイド側壁２３の上端には、外向きに張り出してから下方に折り返された２枚重ね状のサイド水平フランジ２４が一体に曲げ形成されており、また、第１サイド側壁２３の前後両端には、メイン枠４におけるメイン側壁１４の内面に重なる第２サイド側壁２５が曲げ形成されている。
【００２９】
第２サイド側壁２５はメイン底板１２の上に位置しているので、第２サイド側壁２５とサイド底板２２との間には、メイン底板１２が嵌入し得る隙間が開いている。敢えて述べるまでもないが、サイド水平フランジ２４の上面はメイン水平フランジ１５の上面と同じ高さになっている。また、サイド水平フランジ２４にも天板１を固定するためのボルト穴が空いている。
【００３０】
脚支柱７も鋼板を材料にした板金加工品であり、正面視で前後外側に位置した前板２６を有しており、前板２６に、互いに平行な姿勢で内向きに向かう内側板２７と外側板２８とを曲げ形成し、両側板２７，２８の先端に、相対向するように突出した内向き片２９が曲げ形成されている。従って、脚支柱７は、平面視で、概ね角張ったＣ型又は溝付き角管状の外観を呈している。左右内向き片２９の先端には、前板２６に向けて突出したリップ片３０を曲げ形成している。
【００３１】
図１に示すサイドステー８はリップ片３０の間の溝に嵌め込まれており、リップ片３０に溶接で固定されている。リップ片３０がサイドステー８に溶接されていることと、下端に下板１０が溶接されていることとにより、脚支柱７は溝を有する形態でありながら、角形の形状が保持されて頑丈な構造になっている（軸心回りのねじりに強い。）。なお、脚支柱７は、溝が存在しない完全な角形にすることも可能である。また、溝付きの形態となす場合、リップ片３０はなくてもよい。
【００３２】
脚支柱７の内外側板２７，２８の上端には、サイド底板２２の下面に重なる水平部３１を曲げ形成しており、また、脚支柱７の前板２６には、メイン側壁１４に外側から重なる垂直部３２を上向きに延出している。水平部３１は左右外側に張り出している。
【００３３】
この場合、垂直部３２は脚支柱７の左右横巾よりも大きい左右巾寸法になっており、従って、垂直部３２は脚支柱７の左右外側に張り出している。そして、垂直部３２の付け根部は切欠かれた肉盗み部３３になっている。このように肉盗み部３３を形成しているのは、水平部３１を側板２７，２８の前後巾の全体にわたって形成するためである（１枚の素材板で製造する場合、肉盗み部３３が存在しないと、水平部３１のうち前板２６に寄った端部は、垂直部３２の張り出し寸法分だけ長さが短くなってしまう。）。
【００３４】
なお、脚支柱７における垂直部３２の左右横幅寸法と、左右水平部３１の外端間の左右間隔寸法、及びサイド枠５の第２サイド側壁２５の左右巾寸法は、略同じ寸法に設定されている。
【００３５】
図４（Ｂ）に示すように、中間補強枠６は下向き開口の溝型で下端には左右のフラップ６ａを設けており、フラップ６ａがメイン枠４の底板１２にスポット溶接で固着されている。また、中間補強枠６の上板６ｂは中空壁部１３の上端まで延びている。中間補強枠６の上面はメイン枠４の上面と同一高さになっている。中間補強枠６は、左右方向に複数本配置してもよい。
【００３６】
(3).締結構造
図２から明瞭に理解できるように、脚支柱７の水平部３１とサイド枠５の底板２２とメイン枠４の底板１２とは、第１ボルト３５及び第１ナット３６で一体に共締めされている。第１ナット３６は、メイン底板１２のうち中空壁部１３の内側に溶接で固定されている。そこで、サイド枠５のサイド底板２２と脚支柱７の水平部３１とには、第１ボルト２５が通る第１ボルト穴３７を貫通させている。
【００３７】
第１ボルト３５及び第１ナット３６は内側に左右に一対のみしか設けていないが、図２及び図４に一点鎖線で示すように、左右２対ずつ設けることも可能である。この場合は、手前側の第１ナット３６′は、メイン枠４のうち中空壁部１３の内部箇所に配置することになる。この場合、手前の第１ナット３６′は、スポット溶接でメイン底板１２に固着しておいてもよい。その場合、手前側の第１ナット３６′は左右方向に長い１本の長ナットにしておくと、溶接工程の手間を抑制できる。或いは、図４に二点鎖線で示すように、第２サイド側壁２５の下端に、中空壁部１３の内部においてメイン底板１２に上から重なる下水平片２５ａを一体に設けて、この下水平片２５ａに手前側の第１ナット３６′を溶接しておくことも可能である。
【００３８】
脚支柱７の上面にフランジ板を溶接して、フランジ板とメイン枠４及びサイド枠５の底板１２，２２とを共締めしてもよい。このようにフランジ板を使用すると、脚支柱７は軸心回りのねじり対する抵抗が格段に向上する利点がある。
【００３９】
図２，図４（Ａ）に示すように、脚支柱７の垂直部３２と、メイン枠４のメイン側壁１５と、サイド枠５の第２サイド側壁２５とは、左右２本の第２ボルト３８及び左右２個の第２ナット３９で共締めされている。第２ナット３９は、サイド枠５における第２サイドへ２５の内面（裏面）に溶接で固着されている。従って、脚支柱７の垂直部３２とメイン枠４のメイン側壁１５とには、第２ボルト３８が貫通する第２ボルト穴４０を開けている。
【００４０】
更に、図２，図３（Ｂ）（Ｃ）に示すように、脚支柱７の垂直部３２のうち左右のボルト穴４０の間の部位に、内向きに突出した左右２つのダボ状突起４１を膨出形成している一方、メイン枠４におけるメイン側壁１４には、突起４１がきっちり嵌まる左右２つの係合穴４２を形成している。これら突起４１と係合穴４２とは、位置決め手段の一例である。
【００４１】
なお、突起４１と係合穴４２とは一対でもよいが、実施形態のように複数対設けるのが好ましい。また、メイン側壁１４に前向きの突起を形成して、脚支柱７の垂直部３２に係合穴を設けることも可能である。また、図３（Ｃ）に一点鎖線で示すように、サイド枠５の第２サイド側壁２５に、突起４１の衝突を防止するための逃がし穴４３を設けたり、図３（Ｄ）に示すように、メイン側壁１４と第２サイド側壁２５との両方に係合穴４３を形成して、突起４１を２つの係合穴４３に嵌め込んだりすることも可能である。
【００４２】
(4).まとめ
以上の構成において、メイン枠４とサイド枠５とは板金加工品であるので、例えば金型を使用しない打ち抜き・曲げ機で容易に製造できる。このため、フレーム構造品に比べてコストダウンが可能になる。そして、溶接工程はあまりないので、高い加工精度を確保できる。
【００４３】
また、メイン枠４に左右長手の中空壁部１３が形成されており、サイド枠５には前後長手の第２サイド側壁２３とサイド上フランジ２４が一体に形成されているため、上枠２は全体として上向きに開口したトレー状の外観を呈しており、このため、上枠２は全体として頑丈な構造になっている。すなわち、メイン枠４の中空壁部１３とサイド枠５の第２サイド側壁２３及びサイド上フランジ２４が補強効果を発揮するため、上枠２は全体として高い堅牢性を確保できる。
【００４４】
さて、上枠２は天板１に締結されているので、上からの荷重や水平方向からの荷重で上枠２が全体的に曲がり変形することはないが、水平方向の外力は脚支柱７を倒すように作用するため、上枠２と脚支柱７との締結部が強度的には最も弱くなっている。従って、作業台の強度は、上枠２と脚支柱７との締結部の強度に依存していると言える。特に、長方形の作業台の場合は、長手方向（左右方向）の力に弱いため、左右方向の外力に対する抵抗を大きくする必要がある。
【００４５】
この点、本実施形態では、ａ）脚支柱７の水平部３１とサイド枠５のサイド底板２２とメイン枠４のメイン底板１２とが第１ボルト３５で共締めされていることで、これら三者が互いに補強し合って一体性が高くなっている、ｂ）脚支柱７の垂直部３２とメイン枠４のメインへ４とサイド枠５の第２サイド側壁２３との三者が第２ボルト３８で共締めされていることで、これら三者が互いに補強し合って一体性が高くなっている、ｃ）脚支柱７の水平部３１と垂直部３２、メイン枠４のメイン底板１２とメイン側壁１４、サイド枠５のサイド底板２２と第２サイド側壁２３は互いに直交した姿勢になっているため、水平方向の外力に対して強い突っ張り効果が発揮されている、ｄ）脚支柱７の垂直部３２とメイン枠４のメイン側壁１４とが突起４１及び係合穴４２とで滑り不能に位置決めされていることにより、脚支柱７とメイン枠４との一体性が格段に向上している、という各種効果により、メイン枠４とサイド枠５と脚支柱７との板厚を過度に厚くすることなく、高い強度を確保することができる。
【００４６】
また、本実施形態のように脚支柱７の垂直部３２を脚支柱７の左右外側に張り出した形態とすると、垂直部３２の左右スパンが大きくなるため、特に左右方向の外力に対する抵抗を増大できて有益である。なお、左右方向の外力は、垂直部３２とメイン側壁１４と第２サイド側壁２３とに対して、その端面に対向するように作用するので、左右方向の外力に対する曲げ応力は極めて高いものとなる。このことと、垂直部３２とメイン側壁１４とが突起４１及び係合穴４２で位置決めされて相対的な滑りがないこととの相乗効果により、作業台は高い強度を確保できる。なお、図３（Ｄ）のように、突起４１をメイン側壁１４と第２サイド側壁２３とに対して嵌合させると、堅牢性はより一層向上する。
【００４７】
本実施形態のように、ナット３６，３９を予めメイン枠４やサイド枠５に溶接で固定しておくと、組み立てに際して一々ナット３６，３９を手で保持しておく必要がないため、組み立て作業性に優れている。また、本実施形態のように第２サイド側壁２５をメイン枠４の中空壁部１３に嵌め入れると、メイン枠４の中空壁部１３を左右全長に亙って維持しつつ、サイド枠５の底板２２をメイン枠４の底板１２と水平部３１とで上下から挟むことができるため、強度面で優れている。
【００４８】
脚支柱７の垂直部３２の上端は、メイン枠４のメイン水平フランジ１５の下面に当接又は密接させるのが好ましいが、図２に符号４４で指す一点差線で示すように、上端部をカットした状態に形成することも可能である。同様に、サイド枠５の第２サイド側壁２５は、メイン枠４における中空壁部１３の上内面と下内面とに当接又は密接させるのが好ましいが、図２に符号４５で指す一点差線とで示すように、上部又は下部若しくは両方をカットしてもよい。
【００４９】
第２ボルト３８を第２ナット３９にねじ込むに際して、第２ナット３９が第２ボルト３８で押される傾向を呈するが、第２サイド側壁２５はその先端が自由端になっているため、特に先端側の第２ボルト３８が第２ナット３９で押されて第２サイド側壁２５が撓み変形し、すると、第２ボルト３８を第２ナット３９にねじ込みにくくなる可能性がある。この点については、図２に示すように、第２サイド側壁２５の先端に、中空壁部１３の足片１７に当接して第２サイド側壁２５の撓み変形を防止する内向き片２６ｂを設けたらよい。内向き片２６ｂは、第２サイド側壁２５を上片に折り曲げ形成してもよい。
【００５０】
(5).第２〜第４実施形態
次に、図５以下に示す他の実施形態を説明する。図５（Ａ）に示す第２実施形態は、第１実施形態の変形例であり、この実施形態では、脚支柱７に、水平部３１に上から重なる厚肉のフランジ板４７を溶接で固着し、このフランジ板４７をメイン枠４の下面に重ねている。また、第１ナット３６は、メイン枠４における中空壁部１３の下片１８に固着している。この第２実施形態は、強度が一層アップする。なお、第１実施形態でも言及したが、脚支柱７の状態にフランジ板４７を設けることは、他の実施形態にも適用できる。
【００５１】
図５（Ｂ）及び図６（Ａ）（Ｂ）に示す第３実施形態では、サイド枠５の第２サイド側壁２５はサイド底板２２から立ち上げており、第２サイド側壁２５をメイン枠４におけるメイン側壁１４の外面に重ねている。また、第３実施形態では、メイン枠４の中空壁部１３に、鉛直部４８ａと下片部４８ｂとを有するナット保持板４８を配置し、鉛直部４８ａには第２ナット３９を溶接等で固定し、下片部４８ｂには手前側の第１ナット３６′を溶接等で固定している。
【００５２】
ナット保持板４８における鉛直部４８ａの上端には、メイン枠４における上段部１６の内面と足片部１７の上部内面とに重なる上ストッパー片４８ｃを形成し、ナット保持板４８における下片部４８ｂの後端には、メイン枠４における足片部１７の下部に重なる下ストッパー片４８ｄを曲げ形成しており、このため、ナット保持板４８は中空壁部１３の内部に前後及び上下にずれ不能の状態で保持されている。そして、左右方向の位置決めのため、上ストッパー片４８ｃの左右両端部に後ろ向きのストッパー突起４８ｅを曲げ形成（或いは切り起こし形成）し、これを、メイン枠４の足片部１７に設けた位置決め穴４９（又は切欠き）に嵌め入れている。
【００５３】
この第３実施形態では、第２サイド底板２５の剛性が高くなることと、第２ボルト３８が前後に２本ずつ（複数本）存在することとにより、強度をより一層アップできる。なお、この実施形態では、サイド枠５の第１サイド側壁２３と第２サイド側壁２５とを溶接によって一体化したり、図６（Ｂ）に示すように、両サイド側壁２３，２５の内面（或いは外面）に重なる平面視Ｌ形の補強板５０を設けることも可能である。
【００５４】
図６（Ｃ）に示す第４実施形態では、第３実施形態のように第２サイド側壁２５をサイド底板２２から立ち上げた場合において、第１サイド側壁２３に、第２サイド側壁２５の内面に重なる補助第２サイド側壁２５ａを一体に設けている。第２サイド側壁２５と補助第２サイド側壁２５ａとはスポット溶接等で固着しておいてもよい。この実施形態ではサイド枠５は非常に頑丈な構造になる。なお、補助第２サイド側壁２５ａも請求項に記載した側壁たり得る。
【００５５】
(6).第５〜第６実施形態
図７に示す第５実施形態では、メイン枠４とサイド枠５と脚支柱７とのそれぞれに改変を加えている。まず、メイン枠４については、メイン底板１２のうち中空壁部１３と直交した辺（短辺）に、上向きに立ち上げてから内向きに折り返すことで２枚重ね状の補助メイン側壁５１を設けて、補助メイン側壁５１の下端に、メイン底板１２に重なる補助水平辺５１ａを設けており、第１ナット３６は補助水平辺５１ａに溶接で固着している。補助メイン側壁５１も請求項に記載した側壁たり得る。
【００５６】
他方、サイド枠５に関しては、第１サイド側壁２３の上端を外向きに曲げてから上向きに折り返すことで２枚重ねのサイド水平フランジ２４を形成し、更に、サイド水平フランジ２４の上面部に、第１サイド側壁２３の内面に重なる補助第１サイド側壁２３ａを一体に設けている。従って、第１サイド側壁２３が２枚重ね状態になったのと同じ状態になっている。第１サイド側壁２３も請求項に記載した側壁たり得る。
【００５７】
脚支柱７に関しては、左右２枚の水平部３１のうち外側に位置した水平部３１に、サイド枠５の第１サイド側壁２３に外側から重なる補助サイド垂直部３２ａを一体に設けて、この補助サイド垂直部３２ａとサイド枠５の第１サイド側壁２３，２３ａとメイン枠４の補助メイン側壁５１とを、第３ボルト５２及び第３ナット５３で共締めしている。第３ナット５３は、補助メイン側壁５１の内面に溶接で固定されている。補助メイン側壁５１は請求項に記載した側壁たり得ると共に、補助サイド垂直部３２ａも請求項に記載した垂直部たり得る。
【００５８】
なお、サイド枠５の第１サイド側壁２３，２３ａとメイン枠４の補助メイン側壁５１とは、前後脚支柱７の間においてボルト及びナットで締結してもよいのであり、かくすると、メイン枠４とサイド枠５との一体性を格段に向上できる。また、脚支柱７における垂直部３２と補助垂直部３２ａとは溶接で一体化してもよいし、一点鎖線で示すように、外側又は内側若しくは両側に、平面視Ｌ型の補強板５４を配置してもよい。
【００５９】
図８に示す第６実施形態でも、メイン枠４とサイド枠５と脚支柱７とにそれぞれ改良を加えている。まず、メイン枠４について見ると、水平フランジ１５を有するメイン中空壁部１３は足片部１７が鉛直姿勢になっている。そして、メイン底板１２の短辺縁に、鉛直姿勢の足片部１７ａを有する補助中空壁部１３ａが曲げ形成されている。補助中空壁部１３ａも、メイン底板１２に溶接された下片１８ａを有している。この実施形態では、メイン枠４は四周に中空壁部１３，１３ａが形成されているため、フレーム構造品と同等の高い強度を確保できる。
【００６０】
サイド枠５に関しては、図７の例と同様に、第１サイド側壁２３の内面に重なる補助第１サイド側壁２３ａを設けると共に、図６（Ｃ）と同様に、第２サイド側壁２５はサイド底板２２から立ち上げて、第１サイド側壁２３に、第２サイド側壁２５に内側から重なる補助第２サイド側壁２５ａを設けている。
【００６１】
また、脚支柱７に関しては、前板２６の上端と内外の側板２７，２８の上端とにそれぞれ水平部３１を曲げ形成し、前板２６に設けた水平部３１に垂直部３２を設けると共に、外側板２８に設けた水平部３１には補助垂直部３２ａを設けて、補助垂直部３２ａとサイド枠５の第１サイド側壁２３，２３ａとメイン枠４の補助メイン側壁５１とを、第３ボルト５２及び第３ナット５３で共締めしている。第３ナット５３はブロック形状であり、補助メイン中空壁部１３ａに設けた穴５５に嵌め込んで、図示しないストッパー手段でずれ不能に保持している。
【００６２】
サイド垂直部３２と第２サイド側壁２５，２５ａとメイン側壁１４とは、左右複数本の第１ボルト３５及びブロック状の第１ナット３６で締結されている。第１ナット３６及び第２ナット５３に下向きの雌ねじを設けて、脚支柱７の水平部３１とサイド枠５の底板２２とメイン枠４の底板１２とを共締めすることも可能である。また、第１ナット３６及び第２ナット５３は、図６（Ａ）と同様にナット保持板に取り付けることも可能である。
【００６３】
(7).その他
本願発明は、上記の実施形態の他にも様々に具体化できる。例えばサイド枠の各コーナー部を丸みを帯びた形態として、脚支柱を円筒状に形成することも可能である（この場合、上枠の側壁と脚支柱の垂直部とは平面視で円弧状の形態になる。）。また、上枠は必ずしもメイン枠とサイド枠とで構成する必要はなく、一体構造であってもよい。更に、ファスナとしてボルト（ビス）を使用する場合、相手部材に雌ねじを形成して、これにボルトをねじ込むことも可能である。また、作業台がある程度以上に大型化する場合は、隣り合ったコーナー部の間に中間脚支柱を配置することも可能である。中間脚支柱は、本願発明の構成にしてもよいし、しなくてもよい。
【産業上の利用可能性】
【００６４】
本願発明は作業台に具体化できる。従って、産業上利用できる。
【符号の説明】
【００６５】
１  天板
２  上枠
３  脚支柱装置
４  メイン枠
５  サイド枠
７  脚支柱
１２  メイン底板
１３  中空壁部
１４  メイン側壁
１５  メイン水平フランジ
２２  サイド底板
２３  第１サイド側壁
２４  サイド水平フランジ
２５  第２サイド側壁
２６  脚支柱の前板
２７，２８  脚支柱の側板
３１  脚支柱の水平部
３２  脚支柱の垂直部
３５，３８  ファスナを構成するボルト
３６，３９  ファスナを構成するナット
【図１】
0005988661.tif 000002
【図２】
0005988661.tif 000003
【図３】
0005988661.tif 000004
【図４】
0005988661.tif 000005
【図５】
0005988661.tif 000006
【図６】
0005988661.tif 000007
【図７】
0005988661.tif 000008
【図８】
0005988661.tif 000009